(57)【要約】【課題】いずれの面も少なくともその一部が二重の壁を備えた、外力に対しての抵抗力のある包装体を提供することである。【解決手段】窓開き部に伸縮フィルムが貼着された一対の物品保持具の伸縮フィルムで被保持物品を挟圧すると共に、挟圧姿勢を拘束する拘束手段により被保持物品を保持し、一対の前記物品保持具の互いに当接する二組の前記台形状フラップを互いに乖離する方向に略９０度折り曲げると共に、一対の前記物品保持具の互いに当接する当接する二組の前記矩形状フラップを、それぞれが当接する台形状フラップの傾斜辺と同一角度で折り曲げ、前記物品保持具の一対の基板がその内面の対角線に位置するように、かつ、動かないように窮屈な状態で断面が矩形状の外装カートン内に被保持物品が宙吊り状態となるように収納されてなることを特徴とする包装体。【選択図】図１
2008179413.tif 000002
【特許請求の範囲】
【請求項１】
物品保持具と、外装カートンとから構成される包装体であって、前記物品保持具は窓開き部を有する略矩形状の基板と、該基板の二組の対向する辺に折罫を介して連接するフラップを有し、一組の対向する前記フラップは矩形状フラップからなると共に、他の一組の対向する前記フラップは４つの角部が切り欠かれた台形状フラップからなり、かつ、前記基板は窓開き部を略緊張状態で覆う伸縮フィルムが貼着されてなり、一対の前記物品保持具のそれぞれの伸縮フィルムで被保持物品を挟圧すると共に、挟圧姿勢を拘束する拘束手段により被保持物品を保持し、一対の前記物品保持具の互いに当接する二組の前記台形状フラップを互いに乖離する方向に略９０度折り曲げると共に、一対の前記物品保持具の互いに当接する二組の前記矩形状フラップを、それぞれが当接する台形状フラップの傾斜辺と同一角度で折り曲げ、前記物品保持具の一対の基板がその内面の対角線に位置するように、かつ、動かないように窮屈な状態で断面が矩形状の外装カートン内に被保持物品が宙吊り状態となるように収納されてなることを特徴とする包装体。
【請求項２】
物品保持具と、外装カートンとから構成される包装体であって、前記物品保持具は窓開き部を有する略矩形状の基板と、該基板の二組の対向する辺に折罫を介して連接するフラップを有し、一組の対向する前記フラップは矩形状フラップからなると共に、他の一組の対向する前記フラップは４つの角部が切り欠かれた台形状フラップからなり、かつ、前記基板は、窓開き部を覆うと共に、被保持物品の保持部分の少なくとも一部を覆う保持部形成用凹部を設けた伸縮フィルムが貼着されてなり、一対の前記物品保持具のそれぞれの伸縮フィルムで被保持物品を挟圧して伸張した前記保持部形成用凹部が前記被保持物品の表面に密着すると共に、挟圧姿勢を拘束する拘束手段により被保持物品を保持し、一対の前記物品保持具の互いに当接する二組の前記台形状フラップを互いに乖離する方向に略９０度折り曲げると共に、一対の前記物品保持具の互いに当接する二組の前記矩形状フラップを、それぞれが当接する台形状フラップの傾斜辺と同一角度で折り曲げ、前記物品保持具の一対の基板がその内面の対角線に位置するように、かつ、動かないように窮屈な状態で断面が矩形状の外装カートン内に被保持物品が宙吊り状態となるように収納されてなることを特徴とする包装体。
【発明の詳細な説明】
【技術分野】
【０００１】
本発明は、物品を動かないように宙吊り状態で収納し、落下衝撃等の外力が加わった際にも直接外力が物品に作用して物品の損傷を防止することができる包装体に関するものである。
【背景技術】
【０００２】
従来から、流通等において落下衝撃等の外力が加わった際に直接に外力が物品に作用して物品が損傷することがないように、また、流通時等において包装体内で物品が動くことによる損傷がないように物品を保護する各種の緩衝材からなる包装体が用いられている。具体的には、物品の形状に合せて成形した型、たとえば、発泡成形体、紙製成形体（パルプモールド）からなる緩衝材に嵌め込み、あるいは、発泡緩衝シートや発泡チップ、気泡緩衝シート〔いわゆる、エアーキャップ（登録商標）〕などと共に収納し、これを外装体で包装した包装体などが知られている。
【０００３】
また、他の包装体としては、窓孔を開けた基台の前記窓孔をフィルムで被覆した物品保持具を用い、物品を２枚の物品保持具のそれぞれのフィルムで挟圧し、該挟圧姿勢を拘束して物品を中空位置に保持してなる包装体（たとえば、特許文献１参照）が知られている。特許文献１に開示された包装体は、基台２の角部の強度を向上させて基台２の安定性と信頼性の高い物品保持具を提供するものであるが、特許文献１の図２、３からも明らかなように左右の側面は基台２の周壁４と外箱２０により壁が二重の構成となっているものの、上下の面は外箱２０のみの壁（一重の構成）であり、側面に比べて上下の面は外力に抗する力が劣るという問題がある。
【特許文献１】特許第３７１８４６１号公報
【発明の開示】
【発明が解決しようとする課題】
【０００４】
そこで本発明は、いずれの面も少なくともその一部が二重の壁を備え、流通時等において外力が加わった際にも直接に外力が物品に作用して物品が損傷することがなく、また、流通時等において包装体内で物品が動くことによる損傷がない包装体を提供することである。
【課題を解決するための手段】
【０００５】
本発明者は、上記課題を達成するために、請求項１記載の本発明は、物品保持具と、外装カートンとから構成される包装体であって、前記物品保持具は窓開き部を有する略矩形状の基板と、該基板の二組の対向する辺に折罫を介して連接するフラップを有し、一組の対向する前記フラップは矩形状フラップからなると共に、他の一組の対向する前記フラップは４つの角部が切り欠かれた台形状フラップからなり、かつ、前記基板は窓開き部を略緊張状態で覆う伸縮フィルムが貼着されてなり、一対の前記物品保持具のそれぞれの伸縮フィルムで被保持物品を挟圧すると共に、挟圧姿勢を拘束する拘束手段により被保持物品を保持し、一対の前記物品保持具の互いに当接する二組の前記台形状フラップを互いに乖離する方向に略９０度折り曲げると共に、一対の前記物品保持具の互いに当接する二組の前記矩形状フラップを、当接する台形状フラップの傾斜辺と同一角度で折り曲げ、前記物品保持具の一対の基板がその内面の対角線に位置するように、かつ、動かないように窮屈な状態で断面が矩形状の外装カートン内に被保持物品が宙吊り状態となるように収納されてなることを特徴とするものである。
【発明の効果】
【０００６】
本発明は、被保持物品を挟圧すると共に挟圧姿勢を拘束する拘束手段により被保持物品を保持した一対の物品保持具を断面が矩形状の外装カートン内に前記物品保持具の一対の基板がその内面の対角線に位置するように、かつ、動かないように（窮屈な状態で）収納して一対の物品保持具の８つのフラップを利用することにより、いずれの面も少なくともその一部が二重の壁を備えた包装体とすることができ、流通時等において外力が加わった際にも直接に外力が物品に作用して物品が損傷することがなく、また、流通時等において包装体内で物品が動くことによる損傷がないという優れた効果を奏するものである。
【発明を実施するための最良の形態】
【０００７】
上記の本発明について、図面等を用いて以下に詳述する。
図１は本発明の第１実施形態にかかる包装体に用いる物品保持具の一実施例を示す平面図、図２は本発明の第１実施形態にかかる包装体に用いる外装カートンの一実施例を示す展開図、図３は本発明の第１実施形態にかかる包装体に用いる物品保持具の使用方法を説明する図であり、図中の１は物品保持具、２は基板、３はフラップ、４は伸縮フィルム、１０は外装カートン、２０は窓開き部、２３，２０１，２０２，２０３，２０４，１１１，１１２，１１３，１１４，３１１，３１２，３１３，３１４は折罫、３０は矩形状フラップ、３１は台形状フラップ、１００はブランク板、１０１は正面板、１０２は背面板、１０３，１０４は側面板、１０５は糊代片、１１１，１２１は表面フラップ、１１２，１２２は裏面フラップ、１１３，１１４，１２３，１２４は折込みフラップをそれぞれ示す。
【０００８】
図１は本発明の第１実施形態にかかる包装体に用いる物品保持具の平面図であって、物品保持具１は略矩形状の窓開き部２０を有する略矩形状の基板２と、該基板２の二組の対向する辺に折罫２３を介して連接するフラップ３を有し、そのうちの一組の対向する前記フラップ３は矩形状フラップ３０からなると共に、他の一組の対向する前記フラップ３は４つの角部が切り欠かれた台形状フラップ３１からなり、さらに前記基板２は窓開き部２０を略緊張状態で覆う伸縮フィルム４が貼着されているものである。前記台形状フラップ３１の切り欠く角度としては、長辺側の折罫２３を延長した線に対して、４５度以上の角度で切り欠かれていればよいものであるが、好ましくは４５度丁度の角度である。この理由については後述する。
【０００９】
図２は本発明の第１実施形態にかかる包装体に用いる外装カートンの一実施例を示す展開図であって、外装カートン１０〔図３（ハ）参照〕は糊代片１０５と背面板１０２と側面板１０３と正面板１０１と側面板１０４とが折罫２０１、２０２、２０３、２０４を介して連接し、前記正面板１０１に折罫３０１、３１１を介して表面フラップ１１１、１２１が連接し、前記背面板１０２に折罫３０２、３１２を介して裏面フラップ１１２、１２２が連接し、前記側面板１０３、１０４に折罫３０３、３１３および折罫３０４、３１４を介して折込みフラップ１１３、１２３および折込みフラップ１１４、１２４が連接したブランク板１００からなり、該ブランク板１００を前記側面板１０４の裏面に前記糊代片１０５を貼着して断面矩形状の筒状となし、一方の開口部を前記折込みフラップ１１３、１１４を折り込むと共に前記裏面フラップ１１２を折り込み、次いで前記表面フラップ１１１を折り込むと共に前記裏面フラップ１１２と前記表面フラップ１１１を貼着した後に、物品（収納物）を他方の開口部から収納し、次いで、前記折込みフラップ１２３、１２４を折り込むと共に前記裏面フラップ１２２を折り込み、次いで前記表面フラップ１２１を折り込むと共に前記裏面フラップ１２２と前記表面フラップ１２１を貼着したものであって、いわゆるシールエンドカートンである。なお、本発明の外装カートン１０は、シールエンドカートンに限ることはなく、たとえば、オートボトムカートン、ロックカートン、差し込み型カートンであってもよいものである。
【００１０】
図３は本発明の第１実施形態にかかる包装体に用いる物品保持具の使用方法を説明する図であって、図３（イ）に示すように、横断面が略長円形状の筒状形状の被保持物品Ａを２枚（一対）の物品保持具１に設けられた窓開き部を略緊張状態で覆うそれぞれの伸縮フィルムで被保持物品Ａを挟圧すると共に、挟圧姿勢を拘束する拘束手段、たとえば、前記物品保持具１の前記基板２同士をホットメルト接着剤で保持し、次いで２枚（一対）の前記物品保持具１の互いに当接する二組の前記台形状フラップ３１、３１を互いに乖離する方向に前記折罫２３を介して略９０度折り曲げると共に、２枚（一対）の前記物品保持具１の互いに当接する二組の前記矩形状フラップ３０、３０を、当接する台形状フラップ３１、３１の傾斜辺と同一の角度に折り曲げて、図３（ロ）に示すように成形した成形品Ｂを一方が封止され、他方が開口している図３（ハ）に示すシールエンドカートン１０に前記成形品Ｂの前記台形状フラップ３１、３１および前記矩形状フラップ３０、３０が前記シールエンドカートン１０の６面にそれぞれ当接するように収納して、開口部を先に説明した要領で封止することにより本発明の包装体とすることができる。このように構成した本発明の包装体は、外装カートン１０内に動かないように（窮屈な状態で）外装カートン１０内に固定され、かつ、被保持物品Ａが外装カートン１０内に宙吊り状態で収納されると共に、外装ケース１０の全ての面（全６面）が前記物品保持具１のフラップ３により少なくともその一部が二重の壁を備えた包装体となるために、流通時等において外力が包装体に加わった際にも直接に外力が物品に作用して物品を損傷することがなく、また、流通時等において包装体内で物品が動くことによる損傷（ガタつくことによる損傷）を防止することができる。また、前記フラップ３は設計の許す範囲において、より幅広の方が望ましいものである。なお、符号Ｔはタックラベルを示し、被保持物品Ａを取り出す際に、タックラベルＴを手指等で摘んで開封方向へ引っ張ることにより、伸縮フィルム４を容易に引き裂くことができ、引き裂き開口部から被保持物品Ａを簡単に取り出すことができる。
【００１１】
次に、前記物品保持具１を構成する前記基体２および前記フラップ３、および、外装カートン１０の材質としては、被保持物品Ａが小型の場合には、板紙、Ｅフルート段ボールが適当であり、また、大型化して重量が増える場合には、Ａ，Ｂフルート段ボールが適当であり、被保持物品Ａの重量や形状、大きさ、あるいは、印刷の有無等を考慮してダンボールを構成する素材、厚み等について適宜選定すればよいものである。また、前記物品保持具１を構成する伸縮フィルムの材質としては、一般のストレッチ物流システムに使用されるオレフィン系樹脂や塩化ビニル系樹脂からなる重量物用のストレッチフィルムが適当であるが、中でもウレタン系樹脂からなるストレッチフィルムは、伸長性、復元性、引っ張り強度、引き裂き強度、突き刺し強度、耐摩耗性等において優れ、また、軽い粘着性があるところから特に好ましいものである。また、被保持物品Ａを高品質に保つために、防湿性に優れた伸縮フィルムであることが好ましく、防湿性効果のある材料としては、例えば、ポリエチレンやエチレン酢酸ビニル共重合体（ＥＶＡ）等が挙げられ、後述するように伸縮フィルム４の破損防止等を考慮すれば、ポリエチレン／未延伸ナイロン／ポリエチレンや未延伸ナイロン／ポリエチレンの共押しフィルムであることが特に好ましい。
【００１２】
上記実施形態に係る包装体では、平面シート状の伸縮フィルム全体が、基体の窓開き部に単に貼着されているだけであるため、以下の問題点がある。伸縮フィルムで被保持物品を挟圧する際には、伸縮フィルムの伸張に必要な変形量が大きく、伸縮フィルムが破損する可能性がある。また、上記のような物品保持具の構成では、物品保持具で被保持物品を保持するのに伸縮フィルムを大きく変形しなければならず、物品保持具に対する被保持物品の固定が簡易でない。
【００１３】
そこで、第２実施形態に係る包装体においては、被保持物品で挟圧した場合に、伸縮フィルムを以下のように構成し、伸縮フィルムの伸張に必要な変形量を低減し、かつ、物品保持具に対する被保持物品の固定を簡易にすることを目的とする。
【００１４】
図４は本発明の第２実施形態にかかる包装体に用いる一対の物品保持具の一実施例をそれぞれ示す平面図、図５は図４に示した一対の物品保持具をそれぞれ示す拡大正面図、図６は図４に示したＶＩ−ＶＩ線拡大断面図、図７は本発明の第２実施形態にかかる包装体に用いる物品保持具の使用方法を説明する図である。本発明の第２実施形態における物品保持具は、以下に説明するように、伸縮フィルムに保持部形成用凹部４ａが形成されている点を除けば、第１実施形態における物品保持具と同一の構成であり、その構成が第１実施形態と同一である部分については、近似する部分に同一符号を付すこととする。図４〜図６の１は物品保持具、２は基板、３はフラップ、４は伸縮フィルム、４ａは保持部形成用凹部、２０は窓開き部、２３，２４は折罫、３０は矩形状フラップ、３１は台形状フラップ、３２は糊代フラップをそれぞれ示す。
【００１５】
図４は本発明の第２実施形態にかかる包装体に用いる一対の物品保持具の一実施例をそれぞれ示す平面図、図５は図４に示した一対の物品保持具をそれぞれ示す拡大正面図、図６は図４に示したＶＩ−ＶＩ線拡大断面図であって、物品保持具１は略矩形状の窓開き部２０を有する略矩形状の基板２と、該基板２の二組の対向する辺に折罫２３を介して連接するフラップ３を有し、そのうちの一組の対向する前記フラップ３は、折罫２４を介して糊代フラップ３２が連接された矩形状フラップ３０からなると共に、他の一組の対向する前記フラップ３は４つの角部が切り欠かれた台形状フラップ３１からなる。前記台形状フラップ３１の切り欠く角度としては、長辺側の折罫２３を延長した線に対して、４５度以上の角度で切り欠かれていればよいものであるが、上述したように、４５度丁度の角度で切り欠かれるのが好ましい。さらに前記基板２は窓開き部２０を覆う伸縮フィルム４が貼着されているものであり、図６（ａ）及び（ｂ）に示すように、一対の物品保持具１の伸縮フィルム４には、保持部形成用凹部４ａがそれぞれ設けられる。保持部形成用凹部４ａは、横断面が略長円形状の筒状形状に構成された被保持物品Ａの保持部分の一部の輪郭形状に対応した形状に形成され、被保持物品Ａの保持部分の一部を覆う。保持部形成用凹部４ａの形状は、物品保持具１で被保持物品Ａを挟圧する際に、被保持物品Ａの保持部分の少なくとも一部を覆って、伸縮フィルム４の伸張前に被保持物品Ａを対向する２枚の伸縮フィルム４上に固定するように形成されていればよいが、被保持物品Ａの保持部分全体の輪郭形状に近似するような形状に形成されてもよい。保持部形成用凹部４ａは、真空成形等の成形加工によって、伸縮フィルム４に形成される。
【００１６】
次に、第２実施形態にかかる包装体に用いる外装カートンの一実施例は、図２に示した前記第１実施形態における外装カートンと同一であるので説明を省略する。
【００１７】
図７は本発明の第２実施形態にかかる包装体に用いる物品保持具の使用方法を説明する図であって、図７（イ）に示すように、横断面が略長円形状の筒状形状の被保持物品Ａを、２枚（一対）の物品保持具１に設けられた窓開き部を覆うそれぞれの伸縮フィルム２０の保持部形成用凹部４ａで被保持物品Ａを覆った状態にし、伸縮フィルム２０で挟圧して保持部形成用凹部４ａを伸張させると、前記のように伸張した保持部形成用凹部４ａは、被保持物品Ａに密着する。拘束手段を用いることで、物品保持具１の挟圧姿勢を拘束する。たとえば、前記物品保持具１の前記基板２同士をホットメルト接着剤で保持し、次いで２枚（一対）の前記物品保持具１の互いに当接する二組の前記台形状フラップ３１、３１を互いに乖離する方向に前記折罫２３を介して略９０度折り曲げると共に、２枚（一対）の前記物品保持具１の互いに当接する二組の前記矩形状フラップ３０、３０を、それぞれが当接する台形状フラップ３１、３１の傾斜辺と同一の角度に折り曲げて、糊代フラップ３２を用いて矩形状フラップ３０、３０と台形状フラップを相互に固定する。図７（ロ）に示すように成形した成形品Ｂを一方が封止され、他方が開口している図７（ハ）に示すシールエンドカートン１０に前記成形品Ｂの前記台形状フラップ３１、３１および前記矩形状フラップ３０、３０が前記シールエンドカートン１０の６面にそれぞれ当接するように、上記方法で組み立てた物品保持具１を収納して、開口部を先に説明した要領で封止することにより本発明の包装体とすることができる。このように構成した本発明の包装体は、外装カートン１０内に動かないように（窮屈な状態で）外装カートン１０内に固定され、かつ、被保持物品Ａが外装カートン１０内に宙吊り状態で収納されると共に、外装ケース１０の全ての面（全６面）が前記物品保持具１のフラップ３により少なくともその一部が二重の壁を備えた包装体となるために、流通時等において外力が包装体に加わった際にも直接に外力が物品に作用して物品を損傷することがなく、また、流通時等において包装体内で物品が動くことによる損傷（ガタつくことによる損傷）を防止することができる。また、基板２に貼着される伸縮フィルム４に予め設けられた保持部形成用凹部４ａは、被保持物品Ａの保持部分の一部を覆って、伸縮フィルム４の伸張前に被保持物品Ａを対向する２枚の伸縮フィルム４上に固定するため、上記第１実施形態における物品保持具１に比べて、被保持物品Ａの固定が簡易なものとなる。さらに、伸縮フィルム４の変形量は、平面シート状に構成された上記第１実施形態の伸縮フィルム４に比べて小さくなるため、伸縮フィルムの破損を低減することができる。また、前記フラップ３は設計の許す範囲において、より幅広の方が望ましい点は、上記第１実施形態と同様である。
【００１８】
次に、前記物品保持具１を構成する前記基体２および前記フラップ３、および、外装カートン１０の材質や、被保持物品Ａの重量や形状、大きさ、あるいは、印刷の有無等を考慮してダンボールを構成する素材、厚み等の選定については、上記第１実施形態において説明した通りである。また、前記物品保持具１を構成する伸縮フィルムの材質についても、上記第１実施形態において説明した通りであるが、外装カートンに挿入して１ｍの高さから１角３稜６面の落下試験を実施したところ、内層がポリエチレン層、中層がエチレン酢酸ビニル共重合体層、外層がポリエチレン層である三層フィルムからなる伸縮フィルムには、特に破損が見られなかった。
【図面の簡単な説明】
【００１９】
【図１】本発明の第１実施形態にかかる包装体に用いる物品保持具の一実施例を示す平面図である。
【図２】本発明の第１実施形態にかかる包装体に用いる外装カートンの一実施例を示す展開図である。
【図３】本発明の第１実施形態にかかる包装体に用いる物品保持具の使用方法を説明する図である。
【図４】本発明の第２実施形態にかかる包装体に用いる一対の物品保持具の一実施例をそれぞれ示す平面図である。
【図５】図４に示した一対の物品保持具をそれぞれ示す拡大正面図である。
【図６】図４に示したＶＩ−ＶＩ線拡大断面図である。
【図７】本発明の第２実施形態にかかる包装体に用いる物品保持具の使用方法を説明する図である。
【符号の説明】
【００２０】
１                                              物品保持具
２                                              基板
３                                              フラップ
４                                              伸縮フィルム
４ａ                                            保持部形成用凹部
１０                                            外装カートン
２０                                            窓開き部
２３，２４，２０１，２０２，２０３，２０４      折罫
１１１，１１２，１１３，１１４                  折罫
３１１，３１２，３１３，３１４                  折罫
３０                                            矩形状フラップ
３１                                            台形状フラップ
３２                                            糊代フラップ
１００                                          ブランク板
１０１                                          正面板
１０２                                          背面板
１０３，１０４                                  側面板
１０５                                          糊代片
１１１，１２１                                  表面フラップ
１１２，１２２                                  裏面フラップ
１１３，１１４，１２３，１２４                  折込みフラップ
【図１】
2008179413.tif 000003
【図２】
2008179413.tif 000004
【図３】
2008179413.tif 000005
【図４】
2008179413.tif 000006
【図５】
2008179413.tif 000007
【図６】
2008179413.tif 000008
【図７】
2008179413.tif 000009